(57)【要約】【課題】誤検出を防止した光受信信号断検出回路及び光受信信号断検出方法を提供する。【解決手段】クロックテータリカバリの入力振幅による信号断検出回路によって得られたロスオブシグナルを利用してバイアス電圧回路を制御し、アバランシェホトダイオードの増倍率を変化させ、クロックデータリカバリの入力振幅に作用させ、信号対ノイズ比を向上させることにより、信号断検出動作を向上させることができる。【選択図】図１
2009060203.tif 000002
【特許請求の範囲】
【請求項１】
アバランシェホトダイオードの出力が入力されるクロックデータリカバリと、
前記クロックデータリカバリの前段のアンプからのロスオブシグナルを用いて信号対ノイズ比を向上させるため前記アバランシェホトダイオードの増倍率を変化させるバイアス電圧制御回路とを備えたことを特徴とする光受信信号断検出回路。
【請求項２】
光通信に使用されるアバランシェホトダイオードと、
前記アバランシェホトダイオードの出力信号からクロックとデータとを分離するクロックデータリカバリと、
前記クロックデータリカバリの前段のアンプから得られるロスオブシグナルを用いて前記アバランシェホトダイオードの増倍率を変化させて、前記クロックデータリカバリの入力振幅に作用させ、信号対ノイズ比を向上させるバイアス電圧制御回路とを備えたことを特徴とする光受信信号断検出回路。
【請求項３】
光通信に使用されるアバランシェホトダイオードと、
前記アバランシェホトダイオードの出力を増幅するアンプと、
前記アバランシェホトダイオードの出力信号からクロックとデータとを分離するクロックデータリカバリと、
前記クロックデータリカバリの前段の前記アンプから得られるロスオブシグナルを用いて前記アバランシェホトダイオードの増倍率を変化させて、前記クロックデータリカバリの入力振幅に作用させ、信号対ノイズ比を向上させるバイアス電圧制御回路と、
前記バイアス電圧制御回路からの制御信号に基づいて前記アバランシェホトダイオードにバイアス電圧を印加するバイアス電圧回路とを備えたことを特徴とする光受信信号断検出回路。
【請求項４】
アバランシェホトダイオードの出力信号をアンプで増幅しクロックデータリカバリに入力する際に、前記アンプで得られるロスオブシグナルを用いて前記アバランシェホトダイオードの増倍率を変化させて信号対ノイズ比を向上させることを特徴とする光受信信号断検出方法。
【請求項５】
光通信に使用されるアバランシェホトダイオードを準備し、
前記アバランシェホトダイオードの出力信号をアンプで増幅し、クロックデータリカバリに入力する際に、  前記アンプから得られるロスオブシグナルを用いて前記アバランシェホトダイオードの増倍率を変化させて  、前記クロックデータリカバリの入力振幅に作用させ、信号対ノイズ比を向上させることを特徴とする光受信信号断検出方法。
【請求項６】
光通信に使用されるアバランシェホトダイオードを準備し、
アンプにより前記アバランシェホトダイオードの出力を増幅し、
増幅された前記アバランシェホトダイオードの出力信号をクロックデータリカバリに入力する際に、前記クロックデータリカバリの前段の前記アンプから得られるロスオブシグナルを用いて前記アバランシェホトダイオードの増倍率を変化させ、
バイアス電圧回路により前記バイアス電圧制御回路からの制御信号に基づいて前記アバランシェホトダイオードにバイアス電圧を印加させて、前記クロックデータリカバリの入力振幅に作用させ、信号対ノイズ比を向上させることを特徴とする光受信信号断検出方法。
【発明の詳細な説明】
【技術分野】
【０００１】
本発明は、光受信信号断検出回路及び光受信信号断検出方法に関する。
【背景技術】
【０００２】
近年、ファイバ光通信の需要が増大に伴い、通信品質の向上が望まれている。このため、信号断検出を行う光受信信号断検出回路が種々提案されている（例えば、特許文献１、２参照。）。
光受信信号断検出回路は、アバランシェホトダイオード（以下、ＡＰＤと称す。）の電気出力振幅が信号断検出レベルにおいて光入力に比例していることを利用して、ＡＰＤ電気出力振幅と信号断検出基準電圧とをクロックデータリカバリ（以下、ＣＤＲと称す。）で比較することによって、APD光入力断をロスオブシグナル（以下、ＬＯＳと称す。）として検出するものである。また、信号断検出基準電圧を複数用意することにより、複数の状態を検出することができ、ヒステリシスを得ることが出来るものも提案されている。
【特許文献１】特開２００５−１０１９１３号公報
【特許文献２】特開昭６３−１７８６３３号公報
【発明の開示】
【発明が解決しようとする課題】
【０００３】
しかしながら、上述した関連技術において、APDやAPDを利用した回路に適宜使用されるアンプからのノイズが、信号断検出基準電圧を超え、誤検出する場合がある。とくに複数の信号断検出基準電圧差が小さい場合には顕著である。
【０００４】
そこで、本発明の目的は、誤検出を防止した光受信信号断検出回路及び光受信信号断検出方法を提供することにある。
【課題を解決するための手段】
【０００５】
本発明にかかる第１の回路は、アバランシェホトダイオードの出力が入力されるクロックデータリカバリと、前記クロックデータリカバリの前段のアンプからのロスオブシグナルを用いて信号対ノイズ比を向上させるため前記アバランシェホトダイオードの増倍率を変化させるバイアス電圧制御回路とを備えたことを特徴とする。
【０００６】
本発明にかかる第２の回路は、光通信に使用されるアバランシェホトダイオードと、前記アバランシェホトダイオードの出力信号からクロックとデータとを分離するクロックデータリカバリと、前記クロックデータリカバリの前段のアンプから得られるロスオブシグナルを用いて前記アバランシェホトダイオードの増倍率を変化させて、前記クロックデータリカバリの入力振幅に作用させ、信号対ノイズ比を向上させるバイアス電圧制御回路とを備えたことを特徴とする。
【０００７】
本発明にかかる第３の回路は、光通信に使用されるアバランシェホトダイオードと、前記アバランシェホトダイオードの出力を増幅するアンプと、前記アバランシェホトダイオードの出力信号からクロックとデータとを分離するクロックデータリカバリと、前記クロックデータリカバリの前段の前記アンプから得られるロスオブシグナルを用いて前記アバランシェホトダイオードの増倍率を変化させて、前記クロックデータリカバリの入力振幅に作用させ、信号対ノイズ比を向上させるバイアス電圧制御回路と、前記バイアス電圧制御回路からの制御信号に基づいて前記アバランシェホトダイオードにバイアス電圧を印加するバイアス電圧回路とを備えたことを特徴とする。
【０００８】
本発明にかかる第１の方法は、アバランシェホトダイオードの出力信号をアンプで増幅しクロックデータリカバリに入力する際に、前記アンプで得られるロスオブシグナルを用いて前記アバランシェホトダイオードの増倍率を変化させて信号対ノイズ比を向上させることを特徴とする。
【０００９】
本発明にかかる第２の方法は、光通信に使用されるアバランシェホトダイオードを準備し、前記アバランシェホトダイオードの出力信号をアンプで増幅し、クロックデータリカバリに入力する際に、前記アンプから得られるロスオブシグナルを用いて前記アバランシェホトダイオードの増倍率を変化させて、前記クロックデータリカバリの入力振幅に作用させ、信号対ノイズ比を向上させることを特徴とする。
【００１０】
本発明にかかる第３の方法は、光通信に使用されるアバランシェホトダイオードを準備し、アンプにより前記アバランシェホトダイオードの出力を増幅し、増幅された前記アバランシェホトダイオードの出力信号をクロックデータリカバリに入力する際に、前記クロックデータリカバリの前段の前記アンプから得られるロスオブシグナルを用いて前記アバランシェホトダイオードの増倍率を変化させ、バイアス電圧回路により前記バイアス電圧制御回路からの制御信号に基づいて前記アバランシェホトダイオードにバイアス電圧を印加させて、前記クロックデータリカバリの入力振幅に作用させ、信号対ノイズ比を向上させることを特徴とする。
【発明の効果】
【００１１】
本発明によれば、クロックテータリカバリの入力振幅による信号断検出回路によって得られたロスオブシグナルを利用してバイアス電圧回路を制御し、アバランシェホトダイオードの増倍率を変化させ、クロックデータリカバリの入力振幅に作用させ、信号対ノイズ比を向上させることにより、信号断検出動作を向上させることができる。
【発明を実施するための最良の形態】
【００１２】
本発明にかかる光受信信号断検出回路の一実施の形態は、アバランシェホトダイオードの出力が入力されるクロックデータリカバリと、クロックデータリカバリの前段のアンプからのロスオブシグナルを用いて信号対ノイズ比を向上させるためアバランシェホトダイオードの増倍率を変化させるバイアス電圧制御回路とを備えたことを特徴とする。
【００１３】
上記構成によれば、アバランシェホトダイオードの出力が入力されるクロックデータリカバリと、クロックデータリカバリの前段のアンプからのロスオブシグナルを用いて信号対ノイズ比を向上させることにより、信号断検出動作を向上させることができる。
【００１４】
本発明にかかる光受信信号断検出回路の他の実施の形態は、光通信に使用されるアバランシェホトダイオードと、アバランシェホトダイオードの出力信号からクロックとデータとを分離するクロックデータリカバリと、クロックデータリカバリの前段のアンプから得られるロスオブシグナルを用いてアバランシェホトダイオードの増倍率を変化させて、クロックデータリカバリの入力振幅に作用させ、信号対ノイズ比を向上させるバイアス電圧制御回路とを備えたことを特徴とする。
【００１５】
上記構成によれば、光通信に使用されるアバランシェホトダイオードの出力信号からクロックとデータとを分離し、クロックデータリカバリの前段のアンプから得られるロスオブシグナルを用いてアバランシェホトダイオードの増倍率を変化させて、クロックデータリカバリの入力振幅に作用させ、信号対ノイズ比を向上させることにより、信号対ノイズ比を向上させて信号断検出動作を向上させることができる。
【００１６】
本発明にかかる光受信信号断検出回路の他の実施の形態は、光通信に使用されるアバランシェホトダイオードと、アバランシェホトダイオードの出力を増幅するアンプと、アバランシェホトダイオードの出力信号からクロックとデータとを分離するクロックデータリカバリと、クロックデータリカバリの前段のアンプから得られるロスオブシグナルを用いてアバランシェホトダイオードの増倍率を変化させて、クロックデータリカバリの入力振幅に作用させ、信号対ノイズ比を向上させるバイアス電圧制御回路と、バイアス電圧制御回路からの制御信号に基づいてアバランシェホトダイオードにバイアス電圧を印加するバイアス電圧回路とを備えたことを特徴とする。
【００１７】
上記構成によれば、光通信に使用されるアバランシェホトダイオードの出力を増幅し、アバランシェホトダイオードの出力信号からクロックとデータとを分離し、クロックデータリカバリの前段のアンプから得られるロスオブシグナルを用いてアバランシェホトダイオードの増倍率を変化させて、クロックデータリカバリの入力振幅に作用させ、信号対ノイズ比を向上させさせることにより、信号対ノイズ比を向上させて信号断検出動作を向上させることができる。
【００１８】
本発明にかかる光受信信号断検出方法の一実施の形態は、アバランシェホトダイオードの出力信号をアンプで増幅しクロックデータリカバリに入力する際に、アンプで得られるロスオブシグナルを用いてアバランシェホトダイオードの増倍率を変化させて信号対ノイズ比を向上させることを特徴とする。
【００１９】
上記構成によれば、アバランシェホトダイオードの出力信号をアンプで増幅しクロックデータリカバリに入力する際に、アンプで得られるロスオブシグナルを用いてアバランシェホトダイオードの増倍率を変化させて信号対ノイズ比を向上させることことにより、信号断検出動作を向上させることができる。
【００２０】
本発明にかかる光受信信号断検出方法の他の実施の形態は、光通信に使用されるアバランシェホトダイオードを準備し、アバランシェホトダイオードの出力信号をアンプで増幅し、クロックデータリカバリに入力する際に、アンプから得られるロスオブシグナルを用いてアバランシェホトダイオードの増倍率を変化させて、クロックデータリカバリの入力振幅に作用させ、信号対ノイズ比を向上させることを特徴とする。
【００２１】
上記構成によれば、光通信に使用されるアバランシェホトダイオードを準備し、アバランシェホトダイオードの出力信号をアンプで増幅し、クロックデータリカバリに入力する際に、アンプから得られるロスオブシグナルを用いてアバランシェホトダイオードの増倍率を変化させて、クロックデータリカバリの入力振幅に作用させ、信号対ノイズ比を向上させることにより、信号対ノイズ比を向上させて信号断検出動作を向上させることができる。
【００２２】
本発明にかかる光受信信号断検出方法の他の実施の形態は、光通信に使用されるアバランシェホトダイオードを準備し、アンプにより前記アバランシェホトダイオードの出力を増幅し、増幅されたアバランシェホトダイオードの出力信号をクロックデータリカバリに入力する際に、クロックデータリカバリの前段のアンプから得られるロスオブシグナルを用いてアバランシェホトダイオードの増倍率を変化させ、バイアス電圧回路によりバイアス電圧制御回路からの制御信号に基づいてアバランシェホトダイオードにバイアス電圧を印加させて、クロックデータリカバリの入力振幅に作用させ、信号対ノイズ比を向上させることを特徴とする。
【００２３】
上記構成によれば、光通信に使用されるアバランシェホトダイオードを準備し、アンプによりアバランシェホトダイオードの出力を増幅し、増幅されたアバランシェホトダイオードの出力信号をクロックデータリカバリに入力する際に、クロックデータリカバリの前段のアンプから得られるロスオブシグナルを用いてアバランシェホトダイオードの増倍率を変化させ、バイアス電圧回路によりバイアス電圧制御回路からの制御信号に基づいてアバランシェホトダイオードにバイアス電圧を印加させて、クロックデータリカバリの入力振幅に作用させ信号対ノイズ比を向上させることにより、信号断検出動作を向上させることができる。
なお、上述した実施の形態は、本発明の好適な実施の形態の一例を示すものであり、本発明はそれに限定されることなく、その要旨を逸脱しない範囲内において、種々変形実施が可能である。
【実施例１】
【００２４】
〔実施例の構成〕
図１は本発明に係る光受信信号断検出方法を適用した光受信信号断検出回路の一実施例を示すブロック図である。
図１には、光入力信号１−１と、その光入力信号１−１を受信するＡＰＤ１−２と、光電変換した電気信号１−３と、電気信号１−３を増幅するためのアンプ１−４と、増幅された電気信号１−５と、増幅された電気信号１−５からデータ１−６、クロック１−７及びＬＯＳ(Loss Of Signal:信号断検出信号)１−８を得るＣＤＲ(Clock Data Recovery)１−９と、ＡＰＤ１−２にバイアス電圧１−１０を印加するバイアス電圧回路１−１１と、ＬＯＳ１−８によりバイアス電圧回路１−１０の制御を行うためのバイアス電圧制御回路１−１２及びバイアス電圧制御信号１−１３と、ＬＯＳ発出及び解除レベルを設定する信号１−１４、１−１５とが示されている。
【００２５】
本発明に係る光受信信号断検出回路は、光入力信号１−１を受信するＡＰＤ１−２と、ＡＰＤ１−２で光電変換した電気信号１−３を増幅するためのアンプ１−４と、アンプ１−４で増幅された電気信号１−５からデータ１−６、クロック１−７及びＬＯＳ１−８を得るＣＤＲ１−９と、ＡＰＤ１−２にバイアス電圧１−１０を印加するバイアス電圧回路１−１１と、ＬＯＳ１−８によりバイアス電圧回路１−１０の制御を行うためのバイアス電圧制御回路１−１２とで構成されている。
【００２６】
光入力信号１−１は予めスクランブルをかけてクロック情報が混合されたものである。
ＬＯＳは、ＬＯＳ発出及び解除レベルを設定する信号１−１４、１−１５と、増幅された電気信号１−５とを比較することによって得られる。
【００２７】
図５は図１に示した光受信信号断検出回路に用いられるクロックデータリカバリの一例を示すブロック図である。
尚、図５に示したクロックデータリカバリ１−９において図１に示したアンプ１−４が含まれている。
図１ではアンプ１−４とＣＤＲ１−９とを分離して記述しているが、アンプ１−４とＣＤＲ１−９とは図５に示すように集積化することが一般的である。図１ではＬＯＳ１−８を設定し、得る箇所としてＣＤＲ１−９に記述している。図５ではアンプ１−４に記述している。図１及び図５の何れの場合においてもＡＰＤ１−２からの信号をアンプ１−４で増幅した後、振幅を検出する機能は同じである。
図５に示すクロックデータリカバリは、アナログデバイセス社のＡＤＮ２８５６であり、位相シフタ、ＶＣＯ、ローパスフィルタ、Ｄフリップフロップ等の回路をＩＣに集積化し、クロック情報をもつデータ信号からクロックとデータとに分離する。詳細な構成の説明についてはカタログ等に委ねるため説明を省略する。
ここで、クロックデータリカバリは、情報通信において、データにクロックが重畳されている伝送路上の信号を（データ）を受信し、クロックとデータとに分離するものである。
ディジタル信号を送受信するには、受信側で各データビットを正しいタイミングで判定する必要がある。このため、データを送信する伝送路と並列してタイミング情報（クロック）を送信する伝送路を設けることが多い。
【００２８】
ところが、磁気ディスクや光ディスク等の読取ヘッドからの信号、あるいは高速シリアル伝送等ではクロックを別に設けることなく、データ信号にタイミング情報を重畳して送信している。無線通信では安定した送信クロックに同期したＮＲＺ信号で送信している。受信側ではデータ信号のエッジ（信号遷移）を検出し、内部のリファレンスクロックの位相を調整することでタイミング情報を再生する。このプロセスをクロックデータリカバリと呼んでいる。
【００２９】
クロック再生を正しく行うにはデータ信号にエッジが高頻度で出現する必要がある。さもなければ、受信側の内部リファレンスクロックのドリフトによって同期が外れてしまう。クロックデータリカバリが正しくクロックを再生するために必要なデータ別に出現する連続した同じビットパターンの最大長をＣＩＤ（maximum consecutive digits (CID) specification）と呼ぶ。データ信号に十分なエッジが現れることを保証するため、マンチェスター符号、8b/10b符号、Run Length Limited encoding(RLL)、Eight Fourteen Modulation(EFM)といった符号化を施すことが多い。
【００３０】
クロックデータリカバリの構成方式には、以下の(1)〜(4)が挙げられる。
(1)位相同期回路（PLL）
最も一般的な方式であり、位相比較器でデータのエッジタイミングを検出し、ＶＣＯの発振周波数及び位相を調整する。
【００３１】
(2)位相補間方式
リファレンスクロックから位相補間回路（インタポレータ）によって多相クロックを生成し、データ信号のエッジのタイミングによって最適なクロック相を選択する。クロックデータリカバリ内部に発振回路を持たないため、高精度のリファレンスクロックを用いることで再生クロックのジッタを低減できる。また、位相比較及びローパスフィルタをディジタル論理回路で行うことで精密な制御が可能である。一方で、位相補間の精度を上げるために回路規模や消費電力が大きくなる傾向がある。
【００３２】
(3)ゲーティドリングオシレータ
リングオシレータのループにＮＡＮＤゲート等を挿入し、データのエッジでリングオシレータの位相をリセットする。停止状態からごく短時間で同期できるためバースト伝送等に適している。
【００３３】
(4)タンク回路
タンク回路（共振器）のフライホイール効果（振動の継続）を利用し、エッジが無い部分においてもクロック信号を途切れることなく出力する。
【００３４】
〔実施例の動作の説明〕
次に図１を用いて動作について説明する。
通常動作時、光入力信号１−１がＡＰＤ１−２に適切な信号が入力され、電気信号１−３に変換される。変換された電気信号１−３はアンプ１−４で増幅され、増幅された電気信号１−５になり、ＣＤＲ１−９に入力される。ＣＤＲ１−９でデータ１−６とクロック１−７とが抽出される。
【００３５】
増幅された電気信号１−５の振幅と光入力信号１−１とが比例することを利用して、ある光入力信号レベル１−１に対応した増幅された電気信号１−５とＬＯＳの発出レベル１−１４及び解除レベル１−１５との三つの信号を比較して、ＣＤＲ１−９はＬＯＳ１−８を出力する。すなわち、データ振幅とある電圧（例えば、ＬＯＳ発出/解除設定電圧）とをコンパレータで比較して出力する。尚、ＬＯＳの発出レベル１−１４及び解除レベル１−１５は図示しない図示しないコンパレータを２つ用いることで得られる。
図５のアンプの振幅とＴＨＲＡＤＪで設定した電圧とをＬＯＳ検波器で比較してＬＯＳ１−８を出力する。
【００３６】
ＬＯＳ１−８に対応してバイアス電圧制御回路１−１２が制御され、バイアス電圧制御信号１−１３を出力し、バイアス電圧回路１−１１が制御される。バイアス電圧回路１−１１で発生したバイアス電圧１−１０がＡＰＤ１−２に印加され、電気信号１−３に作用する。
ＬＯＳ発出閾値を下回るとＡＰＤバイアス電圧を下げることでＡＰＤのノイズを低減させ、ＬＯＳ解除の誤動作に対するマージンを確保することができる。これは、ＡＰＤの増倍率が高い場合、増倍率の増加に応じてショットノイズも増加するので、増倍率を下げることでショットノイズを低下させることができる。
さらに、ＡＰＤで発生するノイズは、バイアス電圧低下に対して指数関数的に減少するので、ＬＯＳ解除閾値をＬＯＳ発出閾値より低く設定することができる。
【００３７】
〔効果の説明〕
図２は図１に示した光受信信号断検出回路における発出閾値１−１４と、ＬＯＳ解除閾値１−１５とが異なる場合の光入力信号レベルとＡＰＤ増倍率との関係を示す図である。
図２において横軸は光入力を示し、縦軸上向きは電気信号を示し、縦軸下向きはＡＰＤの増倍率を示す。
図２に示すように、光入力信号１−１に応じて、ＡＰＤ１−２の増倍率を制御することにより、増幅された電気信号１−５が変化することにより、ヒステリシスループを得ることが出来る。また、増倍率を減少させているため、ノイズが減少し、誤検出の頻度が低減する。
【００３８】
ここで、図３は本発明に関連する光受信信号断検出方法の説明図であり、図４は本発明に関連する他の光受信信号断検出方法の説明図である。
図３、４において横軸は光入力を示し、縦軸上向きは電気信号を示し、縦軸下向きはＡＰＤの増倍率を示す。
図３、４において、２つのコンパレータを用意して、
解除閾値より大    解除閾値−発出閾値    発出閾値以下
解除用コンパレータ        Ｈ                  Ｌ                  Ｌ
発出用コンパレータ        Ｈ                  Ｈ                  Ｌ
の各レベルとその遷移とを利用することでヒステリシスループが得られる。このヒステリシスループにより不感帯を設けることでＬＯＳ発出/解除の安定を確保してきたが、ＡＰＤのバイアス電圧が高い状態にあると不感帯を超えるノイズが発生して誤解除するおそれがあった。
増倍率をＬＯＳにより変化させない場合（図３参照）と比較して、同じヒステリシスループを得るためのＬＯＳ発出解除閾値の差が大きくなる。このことにより、増幅された電気信号１−５にノイズが加わった場合でも、誤検出の頻度が低減する。
【００３９】
また、図４に示すように、ＡＰＤの増倍率またはアンプ１−４のゲインを変化させることにより、ヒステリシスを変化させることが出来るが、同時にノイズも増幅されるため、誤検出の頻度の低減が本発明と比較して少ないことが分かる。
【実施例２】
【００４０】
図１に示した実施例ではＣＤＲ１−９を用いたが、ＣＤＲ１−９のかわりにアンプ１−４に電気信号１−３の振幅を検出させて、ＬＯＳ１−８に相当する信号を生成するように構成してもよい。
ＬＯＳ発出閾値１−１４と、ＬＯＳ解除閾値１−１５とが同じ場合、図６に示すようになると考えられる。
図６は図１に示した光受信信号断検出回路における発出閾値１−１４と、ＬＯＳ解除閾値１−１５とが同じ場合の光入力信号レベルとＡＰＤ増倍率との関係を示す図である。
図６に示すように、光入力信号１−１に応じて、ＡＰＤ１−２の増倍率を制御することにより、増幅された電気信号１−５が変化することにより、ヒステリシスループを得ることが出来る。また、増倍率を減少させているため、ノイズが減少し、誤検出の頻度が低減する。
【００４１】
〔関連技術との相違点等〕
特許文献１記載の技術では、その段落「０００８」に述べられているように、ノイズにより光信号入力断検出回路が誤動作するおそれがある点で本願発明とは相違しており、識別再生回路つまり本願発明でのＣＤＲを複数使用することにより課題を解決しようとしてはいるものの、クロック識別再生本来の機能を満たすためには、単数の使用が一般的であり、現状には即していない。
【００４２】
また、特許文献２記載の技術では、ＡＧＣを目的としている点で本願発明と相違しており、信号断とＡＰＤ増倍率の変化との関係が不明確であり、誤差信号増幅器の出力をＡＰＤバイアス制御回路と可変利得増幅器との双方に出力している点で本願発明と構成が異なっている。さらに、特許文献２記載の技術ではＡＰＤ増倍率が一定であるが、信号断検出時にＡＰＤの増倍率が変化する本願発明と相違している。
【産業上の利用可能性】
【００４３】
本発明は、光ファイバ通信用光受信機、光レベル監視装置に利用することができ、また、他の実施例を適用した場合、識別再生回路を持たないＳＦＰ(Small Form factor Plagable)のような製品にも利用することができる。
【図面の簡単な説明】
【００４４】
【図１】本発明に係る光受信信号断検出方法を適用した光受信信号断検出回路の一実施例を示すブロック図である。
【図２】図１に示した光受信信号断検出回路における発出閾値１−１４と、ＬＯＳ解除閾値１−１５とが異なる場合の光入力信号レベルとＡＰＤ増倍率との関係を示す図である。
【図３】本発明に関連する光受信信号断検出方法の説明図である。
【図４】本発明に関連する他の光受信信号断検出方法の説明図である。
【図５】図１に示した光受信信号断検出回路に用いられるクロックデータリカバリの一例を示すブロック図である。
【図６】図１に示した光受信信号断検出回路における発出閾値１−１４と、ＬＯＳ解除閾値１−１５とが同じ場合の光入力信号レベルとＡＰＤ増倍率との関係を示す図である。
【符号の説明】
【００４５】
１−１    光入力信号
１−２    ＡＰＤ（アバランシェホトダイオード）
１−３    電気信号
１−４    アンプ
１−５    増幅された電気信号
１−６    データ
１−７    クロック
１−８    ＬＯＳ
１−９    ＣＤＲ（クロックデータリカバリ）
１−１０    バイアス電圧
１−１１    バイアス電圧回路
１−１２    バイアス電圧制御回路
１−１３    バイアス電圧制御信号
１−１４    ＬＯＳ発出閾値信号
１−１５    ＬＯＳ解除閾値信号
【図１】
2009060203.tif 000003
【図２】
2009060203.tif 000004
【図３】
2009060203.tif 000005
【図４】
2009060203.tif 000006
【図５】
2009060203.tif 000007
【図６】
2009060203.tif 000008